(57)【要約】【課題】  電源を必要とせず、暗くなると照明が点灯し、生花の代用品にもなり、どのデザインの墓石にも景観を損なうことのない、墓前灯籠を提供する。【解決手段】  花の形をデザインした立体造形物を設け、その内部あるいは花弁間中央付近に、太陽電池式照明器具を設ける。また、立体造形物に透明又は半透明の材質を用いることによって照明が点灯した時に、光が透過する透光性の特性をそなえたことを特徴とする墓前灯籠。【選択図】    図１
2005248686.tif 000002
【特許請求の範囲】
【請求項１】
花の形をデザインした立体造形物と、前記立体造形物に設けられた、照明部と太陽電池や蓄電部、制御部、光センサなどを少なくとも備えた太陽電池式照明器具とからなり、前記照明は前記立体造形物や墓石を照らすように設けられたものであることを特徴とする墓前灯籠。
【請求項２】
透明又は半透明の材質を立体造形物に用いることにより、照明の光が透過する透光性の特性を備えたことを特徴とする請求項１記載の、墓前灯籠。
【請求項３】
墓石前の台や地面に固定する固定手段を有するものであることを特徴とする請求項１又は請求項２記載の、墓前灯籠。
【請求項４】
照明部が立体造形物の内部あるいは花弁間中央付近に設けられたものであることを特徴とする請求項１、２又は３記載の墓前灯籠。
【発明の詳細な説明】
【技術分野】
【０００１】  この発明は、花の形をデザインした立体造形物に太陽電池式照明器具を設けることによって、電源を必要とせず、暗くなると照明が点灯し、生花の代用品にもなり、どのデザインの墓石にも景観を損なうことのない、墓前灯籠に関するものである。
【背景技術】
【０００２】  従来の墓前灯籠は、石材で構成された灯籠内部にろうそくを入れてあかりを灯す方法だった。形状も、丸墓前灯籠、角墓前灯籠などのように昔ながらの和式の形状のみであった。また、太陽電池を利用した太陽電池式墓前灯籠の技術も知られている。（例えば、特許文献１参照。）。これは、太陽電池を利用して、灯籠内部のろうそく型の照明器具を点灯させるものである。また、省スペース化、軽量化及び施工性に優れた太陽光電源装置及びこれを用いた夜間照明装置の技術が知られている（例えば、特許文献２参照。）。
【特許文献１】実用新案登録第３０８２５４４号公報
【特許文献２】特開２００２−１５１７１７号公報
【発明の開示】
【発明が解決しようとする課題】
【０００３】  これは次のような問題点があった。
従来、縁者がお墓参りをする時には、生花を供え、ろうそく又は墓前灯籠を灯してあげたりするが、縁者も頻繁にお参りすることは大変であった。ろうそくも数時間で溶けて消えてしまうものなので、お参りにいったその場限りの灯火であった。高額な石材の墓前灯籠を設置しても、あかりの無い墓前灯籠は、その役割を果たしておらず、供えた生花もやがて枯れてしまい、人のこない墓石はただ寂しい景観を残すだけであった。
また墓前灯籠とは、従来、墓石の左右か前後に２個設置するのが一般的なため、狭い墓所には設置するのに困難であった。
また、その形状においても丸墓前灯籠、角墓前灯籠のように昔ながらの和風の形状のみであったので、洋型の墓石や芝型及びデザイン型の墓石には外観も合わず、従来の墓前灯籠はほとんど設置されていなかった。ろうそくの火のかわりとなる、太陽電池式墓前灯籠（例えば特許文献２参照。）の技術も知られているが、これにおいても同様の欠点があげられ、墓所が狭いと設置するのにも困難であり、また形状においても従来の和風の墓前灯籠の形状を基本としているので、洋型やデザイン型の墓には景観が合わなかった。
つまり、墓石市場においても、洋型やデザイン型の墓石は増えてきても、その付属品となる墓前灯籠においては、昔ながらの形状への固定観念が定着しているため、洋型やデザイン型の墓石に対応できる墓前灯籠がなかった。
本発明は、これらの問題点を解決するために発明されたものである。
【課題を解決するための手段】
【０００４】  底面を平らにした、花の形をデザインした立体造形物（１）を設ける。立体造形物（１）の内部あるいは花弁間中央付近に、照明部（６）と太陽電池（８）や蓄電部、制御部、光センサなどを少なくとも備えた太陽電池式照明器具（２）を設ける。固定手段として、立体造形物（１）の底面から螺合する突起物（５）を具備している。突起物（５）は上部にネジ部（３）を有し、下端がとんがり、下方向に向かうにつれて細くなる形状に設ける。底面の中心部には、この突起物（５）のネジ部（３）とかみあう取付穴（４）を設ける。また、取付穴（４）以外の部分には、粘着剤（１１）と台紙（１０）を施し、台紙（１０）は離脱自在にする。
本発明は、以上の構成よりなる墓前灯籠に関するものである。
【発明の効果】
【０００５】  花の形をデザインした立体造形物（１）に太陽電池式照明器具（２）を設けることによって、通常の電源も必要とせず、人の手を必要としなくても毎晩自動的に照明が点灯するので、暗い中でも、立体造形物（１）や墓石（１２）を浮かびあがらせる墓前灯籠となる。形状を、花の形をデザインしたものにすることによって、供えた生花が枯れて無くなっても、生花の代用品として墓を飾ることもでき、いつもお墓に花を供えているような想いが縁者の心に残るので、従来の墓前灯籠の形状では得ることができなかった生花の代用品としての効果もある。
花弁間中央付近に、照明部（６）を設けることによって、暗くなると光が花弁から洩れて、立体造形物（１）や墓石（１２）を照らし、華やかさを与えてくれる。さらに、花弁の部分を透明又は半透明の材質を用いることによって、光が花弁を透過して、暗い中に花を浮かびあがらせることができ、より美観を与えてくれる。よって本発明は従来の石材のみで構成されていた墓前灯籠には無い、透光性の特性を備えた墓前灯籠を提供することができる。
墓石が和型、洋型とあるので、花の種類も蓮の花やバラの花、百合の花など多種類を設けることにより、和型、洋型及びデザイン型など、どの墓石にも景観を損なうことなく好みに応じてそなえることができる。
また、材質も陶磁器やプラスチック等を用いれば、外観の色彩も豊かなものを提供することができる。
配置する際は、底面が平面上に設けられているので、墓石前の台などに直接置くことができる。底面に、粘着剤（１１）と取り外し可能な突起物（５）を有しているので、石やコンクリートの上に固定することもできるし、地面に突き刺して固定することもできるので利便性がある。
また、名前やメッセージなどを表示するプレート（７）を設けることによって、縁者から故人に対する想いをこめることもできる。
よって、本発明を使用することにより、電源を必要とせず、暗くなると自動的に照明が点灯する墓前灯籠としての役割もはたすことができ、生花の代用品にもなり、和型、洋型等の、どの種類の墓石にも景観を損なうことのないものとして、従来の墓前灯籠を一新させることができる新しいタイプの墓前灯籠を提供することができる。墓所は、暗く寂しい雰囲気があるが、本発明を使用することにより、昼も夜も墓石（１２）を飾り、華やかさを持たせることができる。
【発明を実施するための最良の形態】
【０００６】  以下、本発明の第一実施の形態について図１、図２を利用して説明する。
図１は、本発明の上方向からの斜視図であり、図２は、本発明の下方向からの斜視分解図である。本発明は、墓前などに使用することを目的としたものであり、花の形をデザインした立体造形物（１）と太陽電池式照明器具（２）とからなる。底面を平らにした、花の形をデザインした立体造形物（１）を設ける。立体造形物（１）の内部あるいは花弁間中央付近に、照明部（６）と太陽電池（８）や蓄電部、制御部、光センサなどを少なくとも備えた太陽電池式照明器具（２）を設ける。この太陽電池式照明器具（２）は内部に蓄電部と制御部を有し、その制御により照明部（６）が点灯するようになっている。本事例において制御部は、日中は太陽電池（８）により蓄電部に電気を蓄電し、夜間もしくは一定以上の暗さになった際に、照明部（６）を点灯させるものである。そのため、本発明においては光センサを具備し、そのセンサにより照度を測るようになっている。
図１においては、太陽電池式照明器具（２）の形状は、円柱型に設けられているが、立体造形物（１）のデザインに応じて、太陽電池式照明器具（２）または照明部（６）の形状、大きさは特に限定せずに自由に設けることができることとする。
図２に示すように、本発明では墓石前の台に安定して置けるように立体造形物（１）の底面を平らに設ける。墓石前の地面に固定する固定手段として、底面から螺合する突起物（５）を具備する。突起物（５）は上部にネジ部（３）を有し、下端がとんがり、下方向に向かうにつれて細くなる形状とする。底面の中心部には、この突起物（５）のネジ部（３）とかみあう取付穴（４）を設ける。
もう一つの固定手段として、台に接着して固定することもできるように、取付穴（４）以外の部分に粘着剤（１１）と台紙（１０）を施し、台紙（１０）は離脱自在にする。
立体造形物（１）の材質は、石材類、金属類、プラスチック類、強化ガラス、ポリカーボネート、陶磁器類などがあげられるが、施工性、耐久性のあるものであれば特に材質の限定はしない。立体造形物（１）の花弁の部分などに、透明又は半透明の材質を用いることにより、照明部（６）の光が花弁から透過する透光性の特性も備えたものになる。デザインする花は、蓮の花、バラの花、百合の花等、花類であれば特に限定しない。
本発明は以上の構造よりなる。
これを使用するときは、墓石前の台や花を飾る場所などに本発明品を配置する。配置する場所が、コンクリートや石などの場合は、突起物（５）を取り外して、直接置いて配置させる。より固定したい場合は、台紙（１０）をはがして粘着剤（１１）により接着させる。地面に配置したい場合には、突起物（５）を取付穴（４）に取り付け、地面に突き刺すことで固定させる。
日中は、太陽電池（８）が太陽光を受け内部の蓄電部に電気を蓄電する。そして光センサが一定の暗さとなったことを感知することで制御部により照明部（６）が点灯するようになっている。照明部（６）は、花弁間中央付近に設けられているので、花の内側から発光し、花を照らしだすので、暗い場所で花がきれいに浮かびあがるようになっている。
【第二実施の形態】
【０００７】  以下、本発明の第二実施の形態について、図３を利用して説明する。
図１、図２においては、太陽電池式照明器具（２）は花の内側から照らすようになっているが、外側から花を照らすことも検討できる。それが図３に示す事例である。
図３において、茎やつぼみを介して上方向に伸びた花をデザインした立体造形物（１）が設けられている。そして、花の下位置に太陽電池式照明器具（２）が埋設されている。図３においては、丸い形状の太陽電池式照明器具（２）が１箇所に設けられているが、立体造形物（１）のデザインに応じて、太陽電池式照明器具（２）の大きさや形状は特に限定せずに自由に設けることができることとする。また、その数量も１箇所だけでなく、複数箇所に設けても構わないこととする。
制御方法に関しては、前記事例と一緒だが、本事例においては、花を外側から照らし、花の全体像が暗闇で浮かびあがるようになっている。
また、図３においては、土台部分の側面に名前やメッセージなどを表示するプレート（７）が設けられているが、立体造形物（１）のデザインに応じて、のプレート（７）の形状や大きさ、配置場所は自由に設けることができることとする。また、名前やメッセージを表示するプレート（７）は、第一実施の形態や第三実施の形態の時に用いても構わない。
本発明は以上の構造よりなる。
これを使用するときは、前記事例と同じで、墓石前の台などに配置する。太陽電池式照明器具（２）が花の下位置に設けられているので、照明部（６）が点灯した時、花を外側から照らしだすので、暗い場所で花の全体像が浮かびあがるようになっている。
【第三実施の形態】
【０００８】  以下、本発明の第三実施の形態について図４を利用して説明する。
図１、図２、図３においては、照明部（６）と太陽電池（８）や蓄電部などの部分が一体化した太陽電池式照明器具（２）を用いているが、立体造形物（１）のデザインによっては、照明部（６）と太陽電池（８）とを分化させた太陽電池式照明器具を用いることも検討できる。それが図４に示す事例である。
図４において、茎やつぼみを介して上方向に伸びた花をデザインした立体造形物（１）が設けられている。花弁は、横方向又はやや下向きに設けられている。そして、花弁間中央付近に、照明部（６）が設けられている。そして、太陽電池（８）、蓄電部、光センサ及び蓄電部等の照明部（６）以外の部分は、土台部分に埋設されている。制御方法に関しては、おおむね前記事例と一緒だが、照明部（６）とそれ以外の部分とは配線を通じて動作するようになっている。
これは、照明部（６）と太陽電池（８）が一体型の太陽電池式照明器具（２）を、横方向や下方向に設けた場合、太陽電池（８）が太陽光を受けにくくなってしまうので、それを解決するために、照明部（６）と太陽電池（８）を含むその他の部品とを配線を通じて、別の場所に設けた形状になっている。図４では、太陽電池（８）を含む他の部品は土台部分に埋設されているが、太陽光を受けやすい場所であれば、立体造形物（１）のデザインに応じて、どこに埋設しても構わないこととする。
また、図４においては、照明部（６）は花弁間中央付近の１箇所に設けられているが、立体造形物（１）のデザインに応じて、それ以外の場所に設けても構わないこととする。また、照明部（６）も１箇所だけでなく、複数箇所に設けても構わないこととする。
本発明は以上の構造よりなる。
これを使用するときは、前記事例と一緒で、墓石前の台などに配置する。日中は、太陽光を受け蓄電部に電気を蓄電する。そして光センサが一定の暗さとなったことを感知することで制御部により配線を通じて、横向きや下向きの花弁間に設けられた照明部（６）が点灯するので、暗い中で、花とともに、照明が向けられている墓石（１２）の一部分も浮かびあがるようになっている。
【図面の簡単な説明】
【００９】
【図１】  本発明の上方向からの斜視図である。
【図２】  本発明の下方向からの斜視分解図である。
【図３】  本発明の第二実施の形態の斜視図である。
【図４】  本発明の第三実施の形態の斜視図である。
【図５】  本発明の使用図である。
【符号の説明】
【００１０】      １：立体造形物
２：太陽電池式照明器具
３：ネジ部
４：取付穴
５：突起物
６：照明部
７：プレート
８：太陽電池
９：配線
１０：台紙
１１：粘着剤
１２：墓石
【図１】
2005248686.tif 000003
【図２】
2005248686.tif 000004
【図３】
2005248686.tif 000005
【図４】
2005248686.tif 000006
【図５】
2005248686.tif 000007